(57)【要約】【課題】断熱管の断熱装置の外側に設けられている補助導熱構造により、熱抵抗を低減し、熱抵抗を抑制可能なコア断熱管路、補助伝熱構造、及び環状分布のＵ型管路を有する管体を提供する。【解決手段】放射状熱エネルギーを互いに伝達するＵ型管のＵ型流体管路入口端と出口端の両方、又はいずれか一方のパイプセグメントを断熱材料で形成する。又は両者の間に断熱構造を設置する。更に熱伝導材料により製造された熱伝導柱体を設置することにより、同側に隣り合う温度差を持つ流体入口端のパイプセグメントと流体出口端のパイプセグメントとの間に、温度差を持つ流体が流れるとき、熱伝導により生じる温度差エネルギーロスを防ぐ。断熱装置（４００）の外部に導熱材料により構成される補助導熱構造（１１０）を設置することにより、断熱装置（４００）により柱状熱伝導体（３００）の内部で形成する熱抵抗を抑える。【選択図】  図4
2014077628.tif 000002
【特許請求の範囲】
【請求項１】
地表浅層部、池、湖、川、および海を含む自然貯熱体、もしくは、人工で設置した固相、気相、または液相状態の物体により構成される貯熱体（５００）に設置され、Ｕ型コア管およびループ管の入口端および出口端の少なくとも一方のパイプセグメントが断熱材料により構成され、又は両者の間に断熱装置が設置され、コア断熱管路、補助伝熱構造、及びＵ型環状分布の管路を有する管体を構成することにより、管路を流れる温度差を持つ熱伝導性流体により、同側の隣り合う入口端のパイプセグメントと出口端のパイプセグメントとの間の熱伝導により生じる温度差エネルギーロスを防ぎ、断熱装置（４００）の外部に導熱材料により構成される補助導熱構造（１１０）を設置することにより、断熱装置（４００）により柱状熱伝導体（３００）の内部で形成される熱抵抗を抑制し、
Ｕ型管路（１００）は、Ｕ型管状体により形成され、熱伝導性流体（１１１）を通過し、管路を有し、貯熱体（５００）に設置され、第一出入口端（１０１）及び第二出入口端（１０２）を有し、第一出入口端（１０１）のパイプセグメント（１０１１）の近傍に断熱装置（４００）が嵌め込まれており、
断熱装置（４００）は、断熱効果を持っている固体、撓性体、発泡体、密封されたコロイド体、気体、液体、又は、真空構造により構成される熱抵抗構造であり、Ｕ型管路（１００）から第一出入口端（１０１）のパイプセグメント（１０１１）へ通るパイプセグメントを覆い、第一出入口端（１０１）のパイプセグメント（１０１１）を断熱材料により作られ、又は断熱材料が嵌め込まれており、
補助導熱構造（１１０）は、熱伝導材料により構成され、断熱装置（４００）の外部に設置されており、
（１）放射状配列の断面を呈するＵ型管路の第一出入口端（１０１）のパイプセグメント（１０１１）の周辺に断熱装置（４００）を設置し、断熱装置（４００）の外部に導熱材料により製造された補助導熱構造（１１０）を設置することにより、断熱装置（４００）が柱状熱伝導体（３００）内部での熱抵抗の形成を抑制可能であり、管路構造アセンブリを構成する構成、および、
（２）柱状熱伝導体（３００）により直接製造され、内部に管路構造を有することにより形成され、Ｕ型管路の第一出入口端（１０１）のパイプセグメント（１０１１）に設置するパイプセグメントを有し、パイプセグメント（１０１１）と熱伝導体構造との間に断熱装置（４００）が設けられ、断熱装置（４００）の外部に導熱材料により製造された補助導熱構造（１１０）を設置することにより、断熱装置（４００）が柱状熱伝導体（３００）の内部での熱抵抗の形成を抑制可能であり、内部に管路を有する柱状熱伝導体（３００）を構造体とする柱状構造を構成する構成のうち少なくとも一方を含むことを特徴とするコア断熱管路、補助伝熱構造、及び環状分布のＵ型管路を有する管体。
【請求項２】
Ｕ型管路（１００）の断熱管段の断熱装置（４００）の外部に導熱材料により構成される補助導熱構造（１１０）を設置し、また外部に柱状熱伝導体を覆い、
Ｕ型管路（１００）は、Ｕ型管状体により形成され、熱伝導性流体（１１１）を通過し、管路を有し、固相物体およびコロイド状物質のうち少なくとも一方により構成される柱状熱伝導体（３００）に設置され、第一出入口端（１０１）及び第二出入口端（１０２）を有し、第一出入口端（１０１）のパイプセグメント（１０１１）の近傍に断熱装置（４００）が嵌め込まれており、
断熱装置（４００）は、断熱効果を持っている固体、撓性体、発泡体、密封されたコロイド体、気体、液体、又は、真空構造により構成される熱抵抗構造であり、Ｕ型管路（１００）から第一出入口端（１０１）のパイプセグメント（１０１１）へ通るパイプセグメントを覆い、第一出入口端（１０１）のパイプセグメント（１０１１）を断熱材料により製造され、又は断熱材料が嵌め込まれており、
補助導熱構造（１１０）は、熱伝導材料により構成され、断熱装置（４００）の外部に設置されており、
（１）放射状配列の断面を呈するＵ型管路の第一出入口端（１０１）のパイプセグメント（１０１１）の周辺に断熱装置（４００）を設置し、断熱装置（４００）の外部に導熱材料により製造された補助導熱構造（１１０）を設置することにより、断熱装置（４００）が柱状熱伝導体（３００）内部での熱抵抗の形成を抑制可能であり、管路構造アセンブリを構成する構成、および、  （２）熱伝導材料で構成される円形、楕円形、方形、長方形、又は、星形を含む幾何形状の断面を持つ柱状熱伝導体（３００）であり、Ｕ型管路（１００）を覆い、第一出入口端（１０１）のパイプセグメント（１０１１）の周辺に断熱装置（４００）が設置され、及び更に一歩進んで断熱装置（４００）の外部に導熱材料により製造された補助導熱構造（１１０）を設置することにより、断熱装置（４００）が柱状熱伝導体（３００）の内部での熱抵抗の形成を抑制可能であり、柱状熱伝導体（３００）に覆われる柱状構造を構成する構成、および、
（３）柱状熱伝導体（３００）により直接製造され、内部に管路構造を有することにより形成され、Ｕ型管路の第一出入口端（１０１）のパイプセグメント（１０１１）に設置されるパイプセグメントを有し、パイプセグメント（１０１１）と熱伝導体構造との間に断熱装置（４００）が設けられ、断熱装置（４００）の外部に導熱材料により製造された補助導熱構造（１１０）を設置することにより、断熱装置（４００）が柱状熱伝導体（３００）の内部での熱抵抗の形成を抑制可能であり、内部に管路を有する柱状熱伝導体（３００）を構造体とする柱状構造を構成する構成のうち少なくとも一方を含むことを特徴とする請求項１に記載のコア断熱管路、補助伝熱構造、及び環状分布のＵ型管路を有する管体。
【請求項３】
熱伝導柱体に二個以上の放射状配列の断面を呈するＵ型管路が設けられており、軸方向の中心の近傍にある同じ流向管路群の外周に断熱構造を集中設置し、及び断熱装置（４００）の外部に補助導熱構造（１１０）が設置されており、
Ｕ型管路（１００）は、Ｕ型管状体により形成され、熱伝導性流体（１１１）を通過し、管路により構成され、固相物体およびコロイド状物質の少なくとも一方により構成される柱状熱伝導体（３００）に設置されており、第一出入口端（１０１）及び第二出入口端（１０２）を有し、第一出入口端（１０１）のパイプセグメント（１０１１）の近傍に柱状熱伝導体（３００）の軸方向の中心に隣り合って設置され、断熱装置（４００）が嵌め込まれ、第二出入口端（１０２）のパイプセグメント（１０２２）の近傍に柱状熱伝導体（３００）の軸方向の外周に沿って、放射状に辺縁付近に設置され、
断熱装置（４００）は、断熱効果を持っている固体、撓性体、発泡体、密封されたコロイド体、気体、液体、又は、真空構造により構成される熱抵抗構造を有し、柱状熱伝導体（３００）から軸方向の中心に隣り合って集中設置された複数個のＵ型管路（１００）の第一出入口端（１０１）のパイプセグメント（１０１１）へ通るパイプセグメントを覆い、又は第一出入口端（１０１）のパイプセグメント（１０１１）を断熱材料により直接製造され、又は断熱材料が嵌め込まれており、上述断熱構造により、同じＵ型管路（１００）に設置される第一出入口端（１０１）のパイプセグメント（１０１１）と第二出入口端（１０２）のパイプセグメント（１０２２）との間に、熱伝導により生じる温度差エネルギーロスを大幅に低減し、
補助導熱構造（１１０）は、熱伝導材料により構成され、断熱装置（４００）外部に設置されており、
（１）２個またそれ以上の放射状配列の断面を呈するＵ型管路の各Ｕ型管路（１００）の第一出入口端（１０１）のパイプセグメント（１０１１）が管路構造アセンブリ中心に隣り合って設置され、各Ｕ型管路の第一出入口端（１０１）のパイプセグメント（１０１１）の周辺に断熱装置（４００）が設置され、断熱装置（４００）の外部に導熱材料により製造された補助導熱構造（１１０）が設置されており、断熱装置（４００）が柱状熱伝導体（３００）の内部での熱抵抗の形成を抑制可能であり、管路構造アセンブリを構成する構成、
（２）熱伝導材料で構成される円形、楕円形、方形、長方形、又は、星形を含む幾何形状の断面を有する柱状熱伝導体（３００）であり、Ｕ型管路（１００）を覆い、第一出入口端（１０１）のパイプセグメント（１０１１）の周辺に断熱装置（４００）が設置され、断熱装置（４００）の外部に導熱材料により製造された補助導熱構造（１１０）が設置されており、断熱装置（４００）が柱状熱伝導体（３００）の内部での熱抵抗の形成を抑制可能であり、柱状熱伝導体（３００）に覆われる柱状構造を構成する構成、および、
（３）柱状熱伝導体（３００）により製造され、内部に管路構造を備えることにより、隣り合って管路構造の中心に設置される各Ｕ型管路の第一出入口端（１０１）のパイプセグメント（１０１１）を形成し、第一出入口端（１０１）のパイプセグメント（１０１１）の底部が、放射状に周りの管路構造周辺に分布する第二出入口端（１０２）のパイプセグメント（１０２２）へ通り、隣り合って管路構造の中心に設置される各Ｕ型管路の第一出入口端（１０１）のパイプセグメント（１０１１）と熱伝導体構造との間に断熱装置（４００）が設けられ、断熱装置（４００）の外部に導熱材料により製造された補助導熱構造（１１０）が設置されることにより、断熱装置（４００）が柱状熱伝導体（３００）内部での熱抵抗の形成を抑制可能であり、内部に管路を有する柱状熱伝導体（３００）を構造体とする柱状構造を構成する構成のうち少なくとも一つの構成を有することを特徴とする請求項１に記載のコア断熱管路、補助伝熱構造、及び環状分布のＵ型管路を有する管体。
【請求項４】
複数組のＵ型管路は、共同して柱状熱伝導体（３００）に設置される軸方向の中心を通り、比較的管径の大きい管路により共通管路（２００）を構成し、共通管路（２００）が流体共用の第一出入口端（１１０１）をゆうし、また柱状熱伝導体（３００）の軸方向の周辺に沿って、第二出入口端（１０２）が放射状に設置され、断熱装置（４００）の外部に補助導熱構造（１１０）が設置され、二個以上のＵ型管路（１００）の底部の一端が、共通管路（２００）を通り、熱伝導性流体（１１１）を通過し、各経路のＵ型管路（１００）が管路により構成され、固相物体およびコロイド状物質のうち少なくとも一方により構成される柱状熱伝導体（３００）の各Ｕ型管路（１００）底部の一端に設置され、共同して柱状熱伝導体（３００）に設置された軸方向の中心の比較的管径の大きい管路により構成される共通管路（２００）の底部へ通り、共通管路（２００）の上端が流体共用の第一出入口端（１１０１）をゆうし、及び柱状熱伝導体（３００）の軸方向の周辺に沿って、各経路のＵ型管路（１００）から第二出入口端（１０２）のパイプセグメント（１０２２）へ通るパイプセグメントが放射状に設置され、上述共通管路（２００）に柱状熱伝導体（３００）の軸方向の中心が設置され、また共通管路（２００）と各経路のＵ型管路（１００）の第二出入口端（１０２）へ通るパイプセグメント（１０２２）との間に断熱装置（４００）が設置され、各経路のＵ型管路（１００）の第二出入口端（１０２）へ通るパイプセグメント（１０２２）が別々に柱状熱伝導体（３００）の軸方向周辺の辺縁付近に設置され、
断熱装置（４００）は、断熱効果を持っている固体、撓性体、発泡体、密封されたコロイド体、気体、液体、又は、真空構造により構成される断熱構造であり、Ｕ型管路（１００）の第二出入口端（１０２）へ通るパイプセグメント（１０２２）と共通管路（２００）との間に設置され、又は共通管路（２００）が断熱材料により製造され、断熱材料が嵌め込まれ、上述の断熱構造により、共通管路（２００）と第二出入口端（１０２）パイプセグメントとの間に、熱伝導により生じる温度差エネルギーロスを減らし、
補助導熱構造（１１０）は、熱伝導材料により構成され、断熱装置（４００）の外部に設置されており、
（１）複数組のＵ型管路（１００）と管路構造アセンブリ中心に設置され、流体共用の第一出入口端（１１０１）へ通る共通管路（２００）、第二出入口端（１０２）のパイプセグメント（１０２２）から管路構造アセンブリの軸方向の周辺に個別に分布し、底部が共通管路（２００）の底部に放射状に分布され、共通管路（２００）の周辺と第二出入口端（１０２）のパイプセグメント（１０２２）との間に断熱装置（４００）が設置され、断熱装置（４００）の外部に導熱材料により構成される補助導熱構造（１１０）が設置されることにより、断熱装置（４００）が柱状熱伝導体（３００）の内部での熱抵抗の形成を抑制可能であり、管路構造アセンブリを構成する構成、
（２）熱伝導材料で構成される円形、楕円形、方形、長方形、又は、星形を含む幾何形状の断面を持つ柱状熱伝導体（３００）であり、流体共用の第一出入口端（１１０１）を有する共通管路（２００）を覆い、及び第二出入口端（１０２）のパイプセグメント（１０２２）へ通り、共通管路（２００）の底部が、第二出入口端（１０２）のパイプセグメント（１０２２）の底部と連通し、共通管路（２００）の周辺に断熱装置（４００）が設置され、断熱装置（４００）の外部に導熱材料により構成される補助導熱構造（１１０）が設置されることにより、断熱装置（４００）が柱状熱伝導体（３００）内部での熱抵抗の形成を抑制可能であり、柱状熱伝導体（３００）に覆われる柱状構造を構成する構成、および、
（３）柱状熱伝導体（３００）により製造され、内部に管路構造を有することにより、流体共用の第一出入口端（１１０１）へ通る共通管路（２００）及び設置された断熱装置（４００）を形成し、断熱装置（４００）の外部に導熱材料により構成される補助導熱構造（１１０）が設置されることにより、断熱装置（４００）が柱状熱伝導体（３００）の内部での熱抵抗の形成を抑制可能であり、内部に管路を有する柱状熱伝導体（３００）を構造体とする柱状構造を構成する構成のうち少なくとも一方を有することを特徴とする請求項１に記載のコア断熱管路、補助伝熱構造、及び環状分布のＵ型管路を有する管体。
【請求項５】
柱形周辺に沿って分布するＵ型波状管路（６００）のパイプセグメントへ応用し、波状に柱状熱伝導体（３００）の軸方向周辺の辺縁付近に沿って分布する管路に設置され、断熱装置（４００）の外部に補助導熱構造（１１０）が設置され、
Ｕ型波状管路（６００）は、Ｕ型波状管体により形成され、熱伝導性流体（１１１）を通過させ、波状管路により構成され、固相物体およびコロイド状物質のうち少なくとも一方により構成される柱状熱伝導体（３００）に設置され、波状に柱状熱伝導体（３００）の周辺に環状に設けられ、軸方向に沿って上下に波状に湾曲し、両端にある第一出入口端（１０１）のパイプセグメント（１０１１）と第二出入口端（１０２）のパイプセグメント（１０２２）が連通しており、
断熱装置（４００）は、断熱効果を持っている固体、撓性体、発泡体、密封されたコロイド体、気体、液体、又は、真空構造により構成される熱抵抗構造であり、柱状熱伝導体（３００）の周辺に設置されるＵ型波状管路（６００）へ流れる第一出入口端（１０１）のパイプセグメント（１０１１）と第二出入口端（１０２）のパイプセグメント（１０２２）と接続するパイプセグメントの両方、又はいずれか一方の周辺を覆い、パイプセグメントの両方、又はいずれか一方が断熱材料により製造され、又は断熱材料が嵌め込まれており、上述断熱構造により、Ｕ型波状管路（６００）に隣り合って設置される第一出入口端（１０１）のパイプセグメント（１０１１）と第二出入口端（１０２）のパイプセグメント（１０２２）との間に、熱伝導により生じる温度差エネルギーロスを大幅に減らし、
補助導熱構造（１１０）は、熱伝導材料により構成され、断熱装置（４００）の外部に設置されており、
（１）管状構造アセンブリ柱形の周辺に沿って分布するＵ型波状管路（６００）、Ｕ型波状管路（６００）の両端の第一出入口端（１０１）のパイプセグメント（１０１１）、第二出入口端（１０２）のパイプセグメント（１０２２）、両パイプセグメント又はその中の一つに断熱装置（４００）が設置され、断熱装置（４００）の外部に設置する導熱材料により構成される補助導熱構造（１１０）に設置することにより、断熱装置（４００）が柱状熱伝導体（３００）内部での熱抵抗の形成を抑制可能であり、管路構造アセンブリを構成する構成、
（２）熱伝導材料で構成される円形、楕円形、方形、長方形、又は、星形を含む幾何形状の断面を持つ柱状熱伝導体（３００）であり、柱形の周辺に沿って分布するＵ型波状管路（６００）を覆い、及びＵ型波状管路（６００）の両端の第一出入口端（１０１）のパイプセグメント（１０１１）と第二出入口端（１０２）のパイプセグメント（１０２２）を連通し、また両パイプセグメント又はその中の一つに断熱装置（４００）が設置され、断熱装置（４００）の外部に導熱材料により構成される補助導熱構造（１１０）を設置することにより、断熱装置（４００）が柱状熱伝導体（３００）内部での熱抵抗の形成を抑制可能であり、柱状熱伝導体（３００）に覆われる柱状構造を構成する構成、および、
（３）柱状熱伝導体（３００）により製造され、内部に管路構造を有することにより、Ｕ型波状管路（６００）の両端の第一出入口端（１０１）のパイプセグメント（１０１１）を連通するパイプセグメントと第二出入口端（１０２）のパイプセグメント（１０２２）を連通するパイプセグメントを含む柱状熱伝導体の周辺に沿って分布するＵ型波状管路（６００）を形成し、第一出入口端（１０１）のパイプセグメント（１０１１）及び第二出入口端（１０２）のパイプセグメント（１０２２）と熱伝導体構造との間に断熱装置（４００）設けられ、断熱装置（４００）の外部に導熱材料により構成される補助導熱構造（１１０）を設置することにより、断熱装置（４００）が柱状熱伝導体（３００）内部での熱抵抗の形成を抑制可能であり、内部に管路を有する柱状熱伝導体（３００）を構造体とする柱状構造を構成する構成のうちすくなくとも一つを有することを特徴とする請求項１に記載のコア断熱管路、補助伝熱構造、及び環状分布のＵ型管路を有する管体。
【請求項６】
中心パイプセグメントを有するＵ型波状管路（６５０）へ応用し、中心パイプセグメントを有するＵ型波状管路（６５０）の第一出入口端（１０１）のパイプセグメント（１０１１）を柱状熱伝導体（３００）の中心付近に設置し、第二出入口端（１０２）のパイプセグメント（１０２２）を柱状熱伝導体（３００）の周辺付近に設置し、両パイプセグメントの間に中心パイプセグメントを備えるＵ型波状管路（６５０）を軸方向に沿って波状に柱状熱伝導体（３００）周辺の辺縁付近に設置し、及び断熱装置（４００）外部に補助導熱構造（１１０）が設置されており、
中心パイプセグメントを有するＵ型波状管路（６５０）は、熱伝導性流体（１１１）を通過するＵ型波状管体により形成され、中心パイプセグメントを有する波状管路により構成され、固相物体およびコロイド状物質のうち少なくとも一方により構成される柱状熱伝導体（３００）に設置され、波状パイプセグメントが柱状熱伝導体（３００）の周辺に環状に設けられ、軸方向に沿って上下に波状に湾曲し、両端が連通する第一出入口端（１０１）のパイプセグメント（１０１１）及び第二出入口端（１０２）のパイプセグメント（１０２２）を有し、その中の第一出入口端（１０１）のパイプセグメント（１０１１）が柱状熱伝導体（３００）の中心付近に設置され、第二出入口端（１０２）のパイプセグメント（１０２２）が柱状熱伝導体（３００）の周辺付近に設置され、両パイプセグメントの間に中心パイプセグメントを有するＵ型波状管路（６５０）が軸方向に沿って波状に柱状熱伝導体（３００）の周辺の辺縁付近に設置され、
断熱装置（４００）は、断熱効果を持っている固体、撓性体、発泡体、密封されたコロイド体、気体、液体、又は、真空構造により構成される熱抵抗構造であり、柱状熱伝導体（３００）の中心及び周辺間に設置される中心パイプセグメントを有するＵ型波状管路（６５０）から第一出入口端（１０１）のパイプセグメント（１０１１）へ連通するイプセグメントを覆い、第二出入口端（１０２）のパイプセグメント（１０２２）へ連通するパイプセグメントの両パイプセグメントのうち少なくとも一方の周辺が断熱材料により製造され、又は断熱材料が嵌め込まれ、上述断熱構造により、同じ中心パイプセグメントを有するＵ型波状管路（６５０）に隣り合って設置される第一出入口端（１０１）のパイプセグメント（１０１１）と第二出入口端（１０２）のパイプセグメント（１０２２）との間に、熱伝導により生じる温度差エネルギーロスを大幅に減らし、
補助導熱構造（１１０）は、熱伝導材料により構成され、断熱装置（４００）の外部に設置されており、
（１）中心付近と柱形周辺の中心パイプセグメントを有するＵ型波状管路（６５０）、中心パイプセグメントを有するＵ型波状管路（６５０）両端の第一出入口端（１０１）のパイプセグメント（１０１１）、第二出入口端（１０２）のパイプセグメント（１０２２）に設置し、両パイプセグメント又はその中の一つに断熱装置（４００）を設置し、断熱装置（４００）の外部に設置する導熱材料により構成される補助導熱構造（１１０）を設置することにより、断熱装置（４００）が柱状熱伝導体（３００）内部での熱抵抗の形成を抑制可能であり、管路構造アセンブリを構成する構成、
（２）熱伝導材料で構成される円形、楕円形、方形、長方形、又は、星形を含む幾何形状の断面を持つ柱状熱伝導体（３００）であり、中心パイプセグメントを有するＵ型波状管路（６５０）及び中心パイプセグメントを有するＵ型波状管路（６５０）両端の第一出入口端（１０１）のパイプセグメント（１０１１）及び第二出入口端（１０２）のパイプセグメント（１０２２）を覆い、及び両パイプセグメント又はその中の一つに断熱装置（４００）を設置し、断熱装置（４００）の外部に導熱材料により構成される補助導熱構造（１１０）を設置することにより、断熱装置（４００）が柱状熱伝導体（３００）内部での熱抵抗の形成を抑制可能であり、柱状熱伝導体（３００）に覆われる柱状構造を構成する構成、および、
（３）柱状熱伝導体（３００）により製造され、内部に管路構造を有することにより、Ｕ型波状管路（６５０）の両端の第一出入口端（１０１）のパイプセグメント（１０１１）を連通するパイプセグメントと第二出入口端（１０２）のパイプセグメント（１０２２）を連通するパイプセグメントを含む柱状熱伝導体の周辺に沿って分布する中心パイプセグメントを有するＵ型波状管路（６５０）を形成し、また第一出入口端（１０１）のパイプセグメント（１０１１）又は第二出入口端（１０２）のパイプセグメント（１０２２）の二者又はその中の一つと熱伝導体構造との間に断熱装置（４００）が設けられ、断熱装置（４００）の外部に導熱材料により構成される補助導熱構造（１１０）を設置することにより、断熱装置（４００）が柱状熱伝導体（３００）の内部での熱抵抗の形成を抑制可能であり、内部に管路を有する柱状熱伝導体（３００）を構造体とする柱状構造を構成する構成のうち少なくとも一つを有することを特徴とする請求項１に記載のコア断熱管路、補助伝熱構造、及び環状分布のＵ型管路を有する管体。
【請求項７】
Ｕ型螺旋状管路の第一出入口端（１０１）と第二出入口端（１０２）間の螺旋パイプセグメントへ応用し、螺旋状柱状熱伝導体（３００）を軸方向に沿って周辺の辺縁付近に設置し、及び断熱装置（４００）の外部に補助導熱構造（１１０）を設置し、  Ｕ型螺旋状管路構造（８００）は、Ｕ型螺旋状管体により形成され、熱伝導性流体（１１１）を通過させ、Ｕ型螺旋状管路構造により構成され、又は固相物体およびコロイド状物質の少なくとも一方により構成される柱状熱伝導体（３００）に設置され、Ｕ型螺旋状管路構造（８００）のＵ型螺旋状管路を柱状熱伝導体（３００）の周辺の辺縁付近に環状に設けられ、その中の第一出入口端（１０１）をＵ型螺旋状管路の中心パイプセグメント（７００）上端に設置され、Ｕ型螺旋状管路の中心パイプセグメント（７００）を経て、直接Ｕ型螺旋状管路構造（８００）のＵ型螺旋状管路底部と連通し、また第二出入口端（１０２）をＵ型螺旋状管路構造（８００）の螺旋状に上方に向かって上がるＵ型螺旋状管路構造（８００）にある第二出入口端（１０２）のパイプセグメント（９００）上端に設置し、
断熱装置（４００）は、断熱効果を持っている固体、撓性体、発泡体、密封されたコロイド体、気体、液体、又は、真空構造により構成される熱抵抗構造であり、Ｕ型螺旋状管路構造（８００）が柱状熱伝導体（３００）に設置され、柱状熱伝導体（３００）の中心にＵ型螺旋状管路の中心パイプセグメント（７００）を設けることより、上方の第一出入口端（１０１）へ通じ、Ｕ型螺旋状管路の中心パイプセグメント（７００）が断熱材料により製造され、又は断熱材料が嵌め込まれており、又は柱状熱伝導体（３００）の周辺の辺縁付近に沿って、螺旋状に上方に向かって上がる第二出入口端（１０２）と連通するＵ型螺旋状管路構造（８００）とＵ型螺旋状管路構造（８００）にある第二出入口端（１０２）のパイプセグメント（９００）とＵ型螺旋状管路の中心パイプセグメント（７００）との間に断熱装置（４００）が設置されており、上述断熱装置（４００）により、第一出入口端（１０１）のＵ型螺旋状管路の中心パイプセグメント（７００）と連通氏、外周の第二出入口端（１０２）と連通するＵ型螺旋状管路構造（８００）とＵ型螺旋状管路の中心パイプセグメント（７００）との間に、熱伝導により生じる温度差エネルギーロスを大幅に減らし、
補助導熱構造（１１０）は、熱伝導材料により構成され、断熱装置（４００）外部に設置されており、
（１）Ｕ型螺旋状管路構造（８００）及びＵ型螺旋状管路構造（８００）にある第二出入口端（１０２）のパイプセグメント（９００）、第一出入口端（１０１）のＵ型螺旋状管路の中心パイプセグメント（７００）を連通し、Ｕ型螺旋状管路の中心パイプセグメント（７００）周辺に設置する断熱装置（４００）であり、断熱装置（４００）の外部に導熱材料により構成される補助導熱構造（１１０）を設置することにより、断熱装置（４００）が柱状熱伝導体（３００）の内部での熱抵抗の形成を抑制可能であり、管路構造アセンブリを構成する構成、
（２）熱伝導材料で構成される円形、楕円形、方形、長方形、又は、星形を含む幾何形状の断面を有する柱状熱伝導体（３００）であり、Ｕ型螺旋状管路構造（８００）、Ｕ型螺旋状管路構造（８００）にある第二出入口端（１０２）のパイプセグメント（９００）及び第一出入口端（１０１）のＵ型螺旋状管路の中心パイプセグメント（７００）を連通し、第一出入口端（１０１）のＵ型螺旋状管路の中心パイプセグメント（７００）周辺に設置する断熱装置（４００）を覆い、断熱装置（４００）の外部に導熱材料により構成される補助導熱構造（１１０）を設置することにより、断熱装置（４００）が柱状熱伝導体（３００）内部での熱抵抗の形成を抑制可能であり、柱状熱伝導体（３００）に覆われる柱状構造を構成する構成、および、
（３）柱状熱伝導体（３００）により製造され、内部に管路構造を備えることにより、Ｕ型螺旋状管路構造（８００）、Ｕ型螺旋状管路構造（８００）にある第二出入口端（１０２）のパイプセグメント（９００）、第一出入口端（１０１）のＵ型螺旋状管路の中心パイプセグメント（７００）を有し、第一出入口端（１０１）のＵ型螺旋状管路の中心パイプセグメント（７００）の周辺に設置する断熱装置（４００）を形成し、断熱装置（４００）の外部に導熱材料により構成される補助導熱構造（１１０）を設置することにより、断熱装置（４００）が柱状熱伝導体（３００）内部での熱抵抗の形成を抑制可能であり、内部に管路が形成されている柱状熱伝導体（３００）を構造体とする柱状構造を構成する構成のうち少なくとも一つを有することを特徴とする請求項１に記載のコア断熱管路、補助伝熱構造、及び環状分布のＵ型管路を有する管体。
【請求項８】
柱状熱伝導体（３００）に複数の経路が設けられているＵ型螺旋状管路構造（８００）を有し、多螺旋状が柱状熱伝導体（３００）の周辺まで設置されており、その底部が中心へ集中し、Ｕ型螺旋状管路の中心パイプセグメント（７００）を介して、第一出入口端（１０１）と連通氏、コアの複数経路のＵ型螺旋状管路の中心パイプセグメント（７００）の外周に断熱装置（４００）が設置され、断熱装置（４００）外部に補助導熱構造（１１０）が設置され、
複数経路のＵ型螺旋状管体は、ツーウェイ以上の熱伝導性流体（１１１）が通過するＵ型螺旋状管路構造（８００）により構成され、複数組のＵ型螺旋状管路構造（８００）が固相物体又はコロイド状物質により構成される柱状熱伝導体（３００）に設置され、複数経路のＵ型螺旋状管路構造（８００）が螺旋状に柱状熱伝導体（３００）周辺の辺縁近傍に環状に設けられており、その中の各経路のＵ型螺旋状管路構造（８００）の第一出入口端（１０１）が螺旋管構造の中心上端に設置し、各経路のＵ型螺旋状管路の中心パイプセグメント（７００）を経て、各経路のＵ型螺旋状管路構造（８００）の底部が連通し、各経路の第二出入口端（１０２）が各経路のＵ型螺旋状管路構造（８００）にある第二出入口端（１０２）のパイプセグメント（９００）を経て、Ｕ型螺旋状管路構造（８００）の上方に螺旋状に向かっている上端に設置し、
断熱装置（４００）は、断熱効果を持っている固体、撓性体、発泡体、密封されたコロイド体、気体、液体、又は、真空構造により構成される熱抵抗構造、ツーウェイ以上のＵ型螺旋状管路構造（８００）が柱状熱伝導体（３００）に設置され、柱状熱伝導体（３００）に集中設置する複数経路のＵ型螺旋状管路の中心パイプセグメント（７００）を設け、上方の第一出入口端（１０１）を有し、Ｕ型螺旋状管路の中心パイプセグメント（７００）が断熱材料により製造され、又は断熱材料が嵌め込まれ、又は各経路が集中するＵ型螺旋状管路の中心パイプセグメント（７００）の周辺で断熱装置（４００）を覆い、上述断熱装置（４００）により、集中設置する各経路のＵ型螺旋状管路の中心パイプセグメント（７００）と各経路のＵ型螺旋状管路構造（８００）と各経路のＵ型螺旋状管路構造（８００）にある第二出入口端（１０２）のパイプセグメント（９００）との間に、熱伝導により生じる温度差エネルギーロスを大幅に減らし、
補助導熱構造（１１０）は、熱伝導材料により構成され、断熱装置（４００）外部に設置されており、
（１）ツーウェイ以上のＵ型螺旋状管路構造（８００）及びＵ型螺旋状管路構造（８００）にある第二出入口端（１０２）のパイプセグメント（９００）により構成される複数経路のＵ型螺旋管路であり、及び各経路のＵ型螺旋状管路の中心パイプセグメント（７００）を軸方向の中心に隣りって集中設置し、Ｕ型螺旋状管路の中心パイプセグメント（７００）の周辺に断熱装置（４００）が設置され、又は断熱材料により各経路のＵ型螺旋状管路の中心パイプセグメント（７００）を直接製造、断熱装置（４００）の部に導熱材料により構成される補助導熱構造（１１０）を設置することにより、断熱装置（４００）が柱状熱伝導体（３００）内部での熱抵抗の形成を抑制可能であり、管路構造アセンブリを構成する構成、
（２）熱伝導材料により構成される円形、楕円形、方形、長方形、又は、星形を含む幾何形状の断面を持つ柱状熱伝導体（３００）であり、ツーウェイ以上のＵ型螺旋状管路構造（８００）及びＵ型螺旋状管路構造（８００）にある第二出入口端（１０２）のパイプセグメント（９００）を覆い、各経路の軸方向の中心に隣り合って集中設置するＵ型螺旋状管路の中心パイプセグメント（７００）の周辺に断熱装置（４００）が設置され、断熱装置（４００）の外部に導熱材料により構成される補助導熱構造（１１０）を設置することにより、断熱装置（４００）が柱状熱伝導体（３００）内部での熱抵抗の形成を抑制可能であり、柱状熱伝導体（３００）に覆われる柱状構造を構成し、各組の軸方向の中心に隣り合って集中設置する個別Ｕ型螺旋状管路の中心パイプセグメント（７００）の周辺に別々に断熱装置（４００）が設置され、断熱材料により個別Ｕ型螺旋状管路の中心パイプセグメント（７００）が製造され、断熱装置（４００）の外部に導熱材料により構成される補助導熱構造（１１０）を設置することにより、断熱装置（４００）が柱状熱伝導体（３００）の内部での熱抵抗の形成を抑制可能であり、柱状熱伝導体（３００）に覆われる柱状構造を構成する構成、
（３）柱状熱伝導体（３００）により製造され、内部に管路構造を有することにより、Ｕ型螺旋状管路構造（８００）にある第二出入口端（１０２）のパイプセグメント（９００）を含み、ツーウェイ以上のＵ型螺旋状管路構造（８００）により構成される複数経路のＵ型螺旋管路を形成し、各経路から第一出入口端（１０１）と連通するＵ型螺旋状管路の中心パイプセグメント（７００）を軸方向の中心に隣り合って集中設置し、Ｕ型螺旋状管路の中心パイプセグメント（７００）の周辺に断熱装置（４００）が設置され、断熱装置（４００）の外部に導熱材料により構成される補助導熱構造（１１０）を設置することにより、断熱装置（４００）が柱状熱伝導体（３００）内部での熱抵抗の形成を抑制可能であり内部に管路を有する柱状熱伝導体（３００）を構造体とする柱状構造を構成する構成のうち少なくとも一つを有することを特徴とする請求項１に記載のコア断熱管路、補助伝熱構造、及び環状分布のＵ型管路を有する管体。
【請求項９】
柱状熱伝導体（３００）にツーウェイ以上の複数経路のＵ型螺旋状管路構造（８００）が設けられ、柱状熱伝導体（３００）の周辺の辺縁付近に設置され、柱状熱伝導体（３００）中心付近に比較的管径の大きい管路により構成される共通管路（２００）が設置されており、複数経路のＵ型螺旋状管路構造（８００）の底部が、共通管路（２００）の底部と連通し、共通管路（２００）の外周に断熱構造が設置されており、断熱装置（４００）の外部に補助導熱構造（１１０）が設置されており、
複数経路のＵ型螺旋状管体は、ツーウェイ以上の熱伝導性流体（１１１）が通過するＵ型螺旋状管体により構成され、複数組のＵ型螺旋状管路構造（８００）を固相物体およびコロイド状物質のうち少なくとも一方により構成される柱状熱伝導体（３００）に設置され、複数経路のＵ型螺旋状管路構造（８００）が螺旋状に柱状熱伝導体（３００）の周辺に環状に設けられ、各経路がＵ型螺旋状管路構造（８００）にある第二出入口端（１０２）のパイプセグメント（９００）を有し、相對する第二出入口端（１０２）を有し、各経路のＵ型螺旋状管路構造（８００）の底部が共通管路（２００）を有し、共通管路（２００）をＵ型螺旋状管路構造（８００）の中心の上端に形成されている流体共用の第一出入口端（１１０１）に設置され、
断熱装置（４００）は、断熱効果を有する固体、撓性体、発泡体、密封されたコロイド体、気体、液体、又は、真空構造により構成される熱抵抗構造であり、各経路のＵ型螺旋状管路構造（８００）が柱状熱伝導体（３００）に設置され、共通管路（２００）が柱状熱伝導体（３００）の軸方向の中心の上端に形成されている流体共用の第一出入口端（１１０１）に設置され、Ｕ型螺旋状管路の共通管路（２００）のパイプセグメントを断熱材料により製造され、断熱材料が嵌め込まれ、各経路のＵ型螺旋状管路構造（８００）及び各経路のＵ型螺旋状管路構造（８００）にある第二出入口端（１０２）のパイプセグメント（９００）とＵ型螺旋状管路の共通管路（２００）のパイプセグメントとの間に述断熱装置（４００）が設置され、断熱装置（４００）により、共通管路（２００）、Ｕ型螺旋状管路構造（８００）と各経路のＵ型螺旋状管路構造（８００）にある第二出入口端（１０２）のパイプセグメント（９００）との間に、熱伝導により生じる温度差エネルギーロスを大幅に減らし、
補助導熱構造（１１０）は、熱伝導材料により構成され、断熱装置（４００）外部に設置され、
（１）ツーウェイ以上のＵ型螺旋状管路構造（８００）及びＵ型螺旋状管路構造（８００）にある第二出入口端（１０２）のパイプセグメント（９００）により構成される複数経路のＵ型螺旋状管路構造（８００）であり、各経路のＵ型螺旋状管路構造（８００）の底部が共通管路（２００）を有し、共通管路（２００）が上方に向かって流体共用の第一出入口端（１１０１）を有し、共通管路（２００）に断熱装置（４００）が設置され、断熱材料により共通管路（２００）が製造され、断熱装置（４００）の外部に導熱材料により構成される補助導熱構造（１１０）を設置することにより、断熱装置（４００）が柱状熱伝導体（３００）の内部での熱抵抗の形成を抑制可能であり管路構造アセンブリを構成する構成、
（２）熱伝導材料により構成される円形、楕円形、方形、長方形、又は、星形を含む幾何形状の断面を有する柱状熱伝導体（３００）であり、ツーウェイ以上のＵ型螺旋状管路構造（８００）及びＵ型螺旋状管路構造（８００）にある第二出入口端（１０２）のパイプセグメント（９００）により構成される複数経路のＵ型螺旋管路を覆い、覆われた底部がＵ型螺旋状管路構造（８００）の各管路底部と連通し、上端が流体共用の第一出入口端（１１０１）の共通管路（２００）を有し、共通管路（２００）の断熱装置（４００）が設置され、断熱装置（４００）の外部に導熱材料により構成される補助導熱構造（１１０）を設置することにより、断熱装置（４００）が柱状熱伝導体（３００）内部での熱抵抗の形成を抑制可能であり、柱状熱伝導体（３００）に覆われる柱状構造を構成する構成、および、
（３）柱状熱伝導体（３００）により製造され、内部に管路構造を有することにより、ツーウェイ以上のＵ型螺旋状管路構造（８００）により構成される複数経路のＵ型螺旋状管路構造（８００）及びＵ型螺旋状管路構造（８００）にある第二出入口端（１０２）のパイプセグメント（９００）が形成され、各経路のＵ型螺旋状管路構造（８００）の底部からＵ型螺旋状管路構造（８００）の中心に設置される共通管路（２００）及び断熱装置（４００）を有し、断熱装置（４００）の外部に導熱材料により構成される補助導熱構造（１１０）が設置され、断熱装置（４００）が柱状熱伝導体（３００）の内部での熱抵抗の形成を抑制可能であり、内部に管路を有する柱状熱伝導体（３００）を構造体とする柱状構造を構成する構成のうち少なくとも一つを有することを特徴とする請求項１に記載のコア断熱管路、補助伝熱構造、及び環状分布のＵ型管路を有する管体。
【発明の詳細な説明】
【技術分野】
【０００１】
本発明は、コア断熱管路、補助伝熱構造、及び環状分布のＵ型管路を有する管体に関する。
【背景技術】
【０００２】
従来のＵ型管路熱交換装置のＵ型管路装置は、同側に隣り合う流体入口端のパイプセグメントと流体出口端のパイプセグメントとの間に設置され、温度差を持つ流体が流れるとき、流体入口端と流体出口端とが隣り合っているために、温度差により熱伝導が生じ、温度差エネルギーロスが発生する。
【先行技術文献】
【特許文献】
【０００３】
【特許文献１】特開２００６−１７４１９号公報
【発明の概要】
【発明が解決しようとする課題】
【０００４】
本発明は、断熱管の断熱装置の外側に設けられている補助導熱構造により、熱抵抗を低減し、熱抵抗を抑制可能なコア断熱管路、補助伝熱構造、及び環状分布のＵ型管路を有する管体を提供することを目的としている。
【課題を解決するための手段】
【０００５】
本発明は、放射状熱エネルギーを互いに伝達するＵ型管の一種で、また放射状熱エネルギーを互いに伝達するＵ型管のＵ型流体管路入口端と出口端の両方、又はいずれか一方のパイプセグメントを断熱材料で形成する。又は両者の間に断熱構造を設置する。更に熱伝導材料により製造された熱伝導柱体を設置することにより、同側に隣り合う温度差を持つ流体入口端のパイプセグメントと流体出口端のパイプセグメントとの間に、温度差を持つ流体が流れるとき、熱伝導により生じる温度差エネルギーロスを防ぐ。断熱装置（４００）の外部に導熱材料により構成される補助導熱構造（１１０）を設置することにより、断熱装置（４００）により柱状熱伝導体（３００）の内部で形成する熱抵抗を抑える。
【図面の簡単な説明】
【０００６】
【図１】従来のＵ型管路を示す模式図である。
【図２】従来のＵ型管路を示す模式図である。
【図３】本発明の第1実施形態によるコア断熱管路、補助伝熱構造、及び環状分布のＵ型管路を有する管体を示す模式図である。
【図４】本発明の第1実施形態によるコア断熱管路、補助伝熱構造、及び環状分布のＵ型管路を有する管体を示す断面図である。
【図５】本発明の第２実施形態によるコア断熱管路、補助伝熱構造、及び環状分布のＵ型管路を有する管体を示す模式図である。
【図６】本発明の第２実施形態によるコア断熱管路、補助伝熱構造、及び環状分布のＵ型管路を有する管体を示す断面図である。
【図７】本発明の第３実施形態によるコア断熱管路、補助伝熱構造、及び環状分布のＵ型管路を有する管体を示す模式図である。
【図８】本発明の第３実施形態によるコア断熱管路、補助伝熱構造、及び環状分布のＵ型管路を有する管体を示す断面図である。
【図９】本発明の第４実施形態によるコア断熱管路、補助伝熱構造、及び環状分布のＵ型管路を有する管体を示す模式図である。
【図１０】本発明の第４実施形態によるコア断熱管路、補助伝熱構造、及び環状分布のＵ型管路を有する管体を示す断面図である。
【図１１】本発明の第５実施形態によるコア断熱管路、補助伝熱構造、及び環状分布のＵ型管路を有する管体を示す模式図である。
【図１２】本発明の第５実施形態によるコア断熱管路、補助伝熱構造、及び環状分布のＵ型管路を有する管体を示す断面図である。
【図１３】本発明の第６実施形態によるコア断熱管路、補助伝熱構造、及び環状分布のＵ型管路を有する管体を示す模式図である。
【図１４】本発明の第６実施形態によるコア断熱管路、補助伝熱構造、及び環状分布のＵ型管路を有する管体を示す断面図である。
【図１５】本発明の第７実施形態によるコア断熱管路、補助伝熱構造、及び環状分布のＵ型管路を有する管体を示す模式図である。
【図１６】本発明の第７実施形態によるコア断熱管路、補助伝熱構造、及び環状分布のＵ型管路を有する管体を示す断面図である。
【図１７】本発明の第８実施形態によるコア断熱管路、補助伝熱構造、及び環状分布のＵ型管路を有する管体を示す模式図である。
【図１８】本発明の第８実施形態によるコア断熱管路、補助伝熱構造、及び環状分布のＵ型管路を有する管体を示す断面図である。
【図１９】本発明の第９実施形態によるコア断熱管路、補助伝熱構造、及び環状分布のＵ型管路を有する管体を示す模式図である。
【図２０】本発明の第９実施形態によるコア断熱管路、補助伝熱構造、及び環状分布のＵ型管路を有する管体を示す断面図である。
【図２１】本発明の第１０実施形態によるコア断熱管路、補助伝熱構造、及び環状分布のＵ型管路を有する管体を示す模式図である。
【図２２】本発明の第１０実施形態によるコア断熱管路、補助伝熱構造、及び環状分布のＵ型管路を有する管体を示す断面図である。
【発明を実施するための形態】
【０００７】
本発明は、コア断熱管路、補助伝熱構造、及び環状分布のＵ型管路を有する管体の一種で、地表浅層部又は池、湖、川、海等の自然貯熱体、又は人力で設置した固相、気相、液相状態の物体により構成される貯熱体（５００）に設置され、Ｕ型コア管とループ管の流体入口端と出口端の両方、又はいずれか一方のパイプセグメントを直接断熱材料で構成し、又は両者の間に断熱構造を設置し、本実施例のコア断熱管路、補助伝熱構造、及び環状分布のＵ型管路を有する管体を構成することにより、温度差を持つ熱伝導性流体が管路を流れるとき、同側に隣り合う入口端のパイプセグメントと出口端のパイプセグメントとの間に熱伝導により生じる温度差エネルギーロスを防ぎ、及び更に一歩進んで断熱装置（４００）外部に導熱材料により構成される補助導熱構造（１１０）を設置することにより、断熱装置（４００）により柱状熱伝導体（３００）内部で形成される熱抵抗を抑える。
【０００８】
本実施例のコア断熱管路、補助伝熱構造、及び環状分布のＵ型管路を有する管体の各Ｕ型管路（１００）を通過する熱伝導性流体（１１１）は、下記の一種又はそれ以上の流体を含む。
１）液相流体を通過させる。
２）気相流体を通過させる。
３）液相から気相に変換する流体を通過させる。
４）気相から液相に変換する流体を通過させる。
【０００９】
従来のＵ型管路熱交換装置のＵ型管路装置を同側に隣り合う流体入口端のパイプセグメントと流体出口端のパイプセグメントの間に設置し、温度差を持つ流体が流れるとき、両者の間に常に温度差により熱伝導が生じるために、温度差エネルギーロスが発生する。以下の例を踏まえて説明する。
【００１０】
図１に従来のＵ型管路（１００）を貯熱体（５００）に設置する実施例を示す。Ｕ型管路（１００）の第一出入口端（１０１）のパイプセグメントと第二の出入口端（１０２）の付近に同側に隣り合って設置されたパイプセグメントを流れる熱伝導性流体（１１１）が温度差を持つとき、両者の間に温度差により熱伝導が生じるために、温度差エネルギーロスが発生する。
図２に従来のＵ型管路（１００）を柱状熱伝導体（３００）に設置し、また柱状熱伝導体（３００）を貯熱体（５００）に設置する実施例を示す。
【００１１】
柱状熱伝導体（３００）を地表浅層部、池、湖、川、海等の自然貯熱体或いは人力で設置した固相、気相、液相状態の物体により構成される貯熱体（５００）中のコア断熱管路、補助伝熱構造、及び環状分布のＵ型管路を有する管体に設置し、またＵ型管の第一出入口端（１０１）と第二出入口端（１０２）を流れる熱伝導性流体（１１１）が温度差を持つとき、同側に隣り合って第一出入口端（１０１）のパイプセグメントと第二出入口端（１０２）付近のパイプセグメントとの間に温度差により熱伝導が生じるために、エネルギーロスが発生する。
【００１２】
本発明は、地表浅層部又は池、湖、川、海等の自然貯熱体或いは人力で設置した固相、気相、液相状態の物体により構成される貯熱体（５００）に設置するコア断熱管路、補助伝熱構造、及び環状分布のＵ型管路を有する管体の一種で、また放射状熱エネルギーを互いに伝達するＵ型管のＵ型流体管路入口端と出口端の両方、又はいずれか一方のパイプセグメントを直接断熱材料で構成し、又は両者の間に断熱構造を設置し、本実施例のコア断熱管路、補助伝熱構造、及び環状分布のＵ型管路を有する管体を構成することにより、温度差を持つ熱伝導性流体が管路を流れるとき、同側に隣り合う入口端のパイプセグメントと出口端のパイプセグメントとの間に熱伝導により生じる温度差エネルギーロスを防ぐ。
【００１３】
（第１実施形態）
図３はＵ型管路（１００）の断熱管段の断熱装置（４００）外部に導熱材料により構成される補助導熱構造（１１０）を設置する構造模式図である。
図４は図３の断面図である。
図３及び図４の主な構成は、以下の通りである。
Ｕ型管路（１００）はＵ型管状体により形成され、熱伝導性流体（１１１）を通過させ、Ｕ型管路（１００）は管路により構成され、貯熱体（５００）に設置し、Ｕ型管路（１００）は第一出入口端（１０１）及び第二出入口端（１０２）を備え、また第一出入口端（１０１）のパイプセグメント（１０１１）付近に断熱装置（４００）を嵌め込む。
【００１４】
断熱装置（４００）は、断熱効果を持っている固体、撓性体、発泡体、密封されたコロイド体、気体、液体、又は、真空構造により構成される熱抵抗構造であり、Ｕ型管路（１００）から第一出入口端（１０１）のパイプセグメント（１０１１）へ通じるパイプセグメントを覆い、また第一出入口端（１０１）のパイプセグメント（１０１１）を断熱材料により直接製造し、又は断熱材料を嵌め込む。
補助導熱構造（１１０）は、熱伝導材料により構成され、断熱装置（４００）外部に設置する。
その構造は下記の一種又はそれ以上の構造により構成される。
【００１５】
（１）放射状配列の断面を呈するＵ型管路の第一出入口端（１０１）のパイプセグメント（１０１１）の周辺に断熱装置（４００）を設置し、断熱装置（４００）の外部に導熱材料により製造された補助導熱構造（１１０）を設置することにより、断熱装置（４００）が柱状熱伝導体（３００）内部での熱抵抗の形成を抑制可能であり、管路構造アセンブリを構成する。
【００１６】
（２）柱状熱伝導体（３００）により直接製造され、内部に管路構造を有することにより形成され、Ｕ型管路の第一出入口端（１０１）のパイプセグメント（１０１１）に設置するパイプセグメントを有し、パイプセグメント（１０１１）と熱伝導体構造との間に断熱装置（４００）が設けられ、断熱装置（４００）の外部に導熱材料により製造された補助導熱構造（１１０）を設置することにより、断熱装置（４００）が柱状熱伝導体（３００）の内部での熱抵抗の形成を抑制可能であり、内部に管路を有する柱状熱伝導体（３００）を構造体とする柱状構造を構成する。
【００１７】
（第２実施形態）
図５はＵ型管路（１００）の断熱管段の断熱装置（４００）外部に導熱材料により構成される補助導熱構造（１１０）を設置し、また外部に柱状熱伝導体を覆う構造模式図である。
図６は図５の断面図である。
図５及び図６の主な構成は、以下の通りである。
【００１８】
Ｕ型管路（１００）はＵ型管状体により形成され、熱伝導性流体（１１１）を通過させ、Ｕ型管路（１００）は管路により構成され、固相物体とコロイド状物質の両方、又はいずれか一方により構成される柱状熱伝導体（３００）に設置し、Ｕ型管路（１００）は第一出入口端（１０１）及び第二出入口端（１０２）を備え、また第一出入口端（１０１）のパイプセグメント（１０１１）付近に断熱装置（４００）を嵌め込む。
【００１９】
断熱装置（４００）は、断熱効果を持っている固体、撓性体、発泡体、密封されたコロイド体、気体、液体、又は、真空構造により構成される熱抵抗構造であり、Ｕ型管路（１００）から第一出入口端（１０１）のパイプセグメント（１０１１）へ通じるパイプセグメントを覆い、また第一出入口端（１０１）のパイプセグメント（１０１１）を断熱材料により直接製造し、又は断熱材料を嵌め込む。
補助導熱構造（１１０）は、熱伝導材料により構成され、断熱装置（４００）外部に設置する。
その構造は下記の一種又はそれ以上の構造により構成される。
【００２０】
（１）放射状配列の断面を呈するＵ型管路の第一出入口端（１０１）のパイプセグメント（１０１１）の周辺に断熱装置（４００）を設置し、断熱装置（４００）の外部に導熱材料により製造された補助導熱構造（１１０）を設置することにより、断熱装置（４００）が柱状熱伝導体（３００）内部での熱抵抗の形成を抑制可能であり、管路構造アセンブリを構成する。  
【００２１】
（２）熱伝導材料で構成される円形、楕円形、方形、長方形、又は、星形を含む幾何形状の断面を持つ柱状熱伝導体（３００）であり、Ｕ型管路（１００）を覆い、第一出入口端（１０１）のパイプセグメント（１０１１）の周辺に断熱装置（４００）が設置され、及び更に一歩進んで断熱装置（４００）の外部に導熱材料により製造された補助導熱構造（１１０）を設置することにより、断熱装置（４００）が柱状熱伝導体（３００）の内部での熱抵抗の形成を抑制可能であり、柱状熱伝導体（３００）に覆われる柱状構造を構成する。
【００２２】
（３）柱状熱伝導体（３００）により直接製造され、内部に管路構造を有することにより形成され、Ｕ型管路の第一出入口端（１０１）のパイプセグメント（１０１１）に設置されるパイプセグメントを有し、パイプセグメント（１０１１）と熱伝導体構造との間に断熱装置（４００）が設けられ、断熱装置（４００）の外部に導熱材料により製造された補助導熱構造（１１０）を設置することにより、断熱装置（４００）が柱状熱伝導体（３００）の内部での熱抵抗の形成を抑制可能であり、内部に管路を有する柱状熱伝導体（３００）を構造体とする柱状構造を構成する。
【００２３】
（第３実施形態）
図７に本発明を熱伝導柱体に二個又はそれ以上の放射状配列の断面を呈するＵ型管路を設けることを示す。また軸方向の中心に付近にある同じ流向管路群の外周に断熱構造を集中設置し、及び断熱装置（４００）外部に補助導熱構造（１１０）を設置する構造模式図である。
図８は図７の断面図である。
図７及び図８の主な構成は、以下の通りである。
【００２４】
Ｕ型管路（１００）はＵ型管状体により形成され、熱伝導性流体（１１１）を通過させ、Ｕ型管路（１００）は管路により構成され、固相物体とコロイド状物質の両方、又はいずれか一方により構成される柱状熱伝導体（３００）に設置し、各Ｕ型管路（１００）は第一出入口端（１０１）及び第二出入口端（１０２）を備え、また第一出入口端（１０１）のパイプセグメント（１０１１）付近に柱状熱伝導体（３００）の軸方向の中心に隣り合って設置し、また断熱装置（４００）を嵌め込み、また第二出入口端（１０２）のパイプセグメント（１０２２）付近に柱状熱伝導体（３００）の軸方向の外周に沿って、放射状に辺縁付近に設置する。
【００２５】
断熱装置（４００）は、断熱効果を持っている固体、撓性体、発泡体、密封されたコロイド体、気体、液体、又は、真空構造により構成される熱抵抗構造であり、柱状熱伝導体（３００）から軸方向の中心に隣り合って集中設置した複数個のＵ型管路（１００）の第一出入口端（１０１）のパイプセグメント（１０１１）へ通じるパイプセグメントを覆い、又は第一出入口端（１０１）のパイプセグメント（１０１１）を断熱材料により直接製造し、又は断熱材料を嵌め込む。上述断熱構造を通して、同じＵ型管路（１００）に設置される第一出入口端（１０１）のパイプセグメント（１０１１）と第二出入口端（１０２）のパイプセグメント（１０２２）との間に、熱伝導により生じる温度差エネルギーロスを大幅に減らす。
補助導熱構造（１１０）は、熱伝導材料により構成され、断熱装置（４００）外部に設置する。
その構造を含むは下記の一種又はそれ以上の構造により構成される。
【００２６】
（１）２個またそれ以上の放射状配列の断面を呈するＵ型管路の各Ｕ型管路（１００）の第一出入口端（１０１）のパイプセグメント（１０１１）が管路構造アセンブリ中心に隣り合って設置され、各Ｕ型管路の第一出入口端（１０１）のパイプセグメント（１０１１）の周辺に断熱装置（４００）が設置され、断熱装置（４００）の外部に導熱材料により製造された補助導熱構造（１１０）が設置されており、断熱装置（４００）が柱状熱伝導体（３００）の内部での熱抵抗の形成を抑制可能であり、管路構造アセンブリを構成する。
【００２７】
（２）熱伝導材料で構成される円形、楕円形、方形、長方形、又は、星形を含む幾何形状の断面を有する柱状熱伝導体（３００）であり、Ｕ型管路（１００）を覆い、第一出入口端（１０１）のパイプセグメント（１０１１）の周辺に断熱装置（４００）が設置され、断熱装置（４００）の外部に導熱材料により製造された補助導熱構造（１１０）が設置されており、断熱装置（４００）が柱状熱伝導体（３００）の内部での熱抵抗の形成を抑制可能であり、柱状熱伝導体（３００）に覆われる柱状構造を構成する。
【００２８】
（３）柱状熱伝導体（３００）により製造され、内部に管路構造を備えることにより、隣り合って管路構造の中心に設置される各Ｕ型管路の第一出入口端（１０１）のパイプセグメント（１０１１）を形成し、第一出入口端（１０１）のパイプセグメント（１０１１）の底部が、放射状に周りの管路構造周辺に分布する第二出入口端（１０２）のパイプセグメント（１０２２）へ通り、隣り合って管路構造の中心に設置される各Ｕ型管路の第一出入口端（１０１）のパイプセグメント（１０１１）と熱伝導体構造との間に断熱装置（４００）が設けられ、断熱装置（４００）の外部に導熱材料により製造された補助導熱構造（１１０）が設置されることにより、断熱装置（４００）が柱状熱伝導体（３００）内部での熱抵抗の形成を抑制可能であり、内部に管路を有する柱状熱伝導体（３００）を構造体とする柱状構造を構成する。
【００２９】
本実施例のコア断熱管路、補助伝熱構造、及び環状分布のＵ型管路を有する管体を更に一歩進んで、複数組のＵ型管路は共同して柱状熱伝導体（３００）に設置される軸方向の中心へ通じる。比較的管径の大きい管路により共通管路（２００）を構成し、共通管路（２００）は流体共用の第一出入口端（１１０１）を備え、また柱状熱伝導体（３００）の軸方向の周辺に沿って、第二出入口端（１０２）を放射状に設置する。
【００３０】
（第４実施形態）
図９は本発明を複数組のＵ型管路底部の一端へ応用し、共同して柱状熱伝導体（３００）の中心に設置した比較的管径の大きい管路により共通管路（２００）底部へ通じる。共通管路（２００）は流体共用の第一出入口端（１１０１）を備え、及び断熱装置（４００）外部に補助導熱構造（１１０）を設置する実施例の模式図である。
図１０は図９の断面図である。
【００３１】
図９及び図１０の主な構成は、二個又はそれ以上のＵ型管路（１００）底部の一端は、共通管路（２００）へ通じる。熱伝導性流体（１１１）を通過させ、各経路のＵ型管路（１００）は管路により構成され、固相物体とコロイド状物質の両方、又はいずれか一方により構成される柱状熱伝導体（３００）の各Ｕ型管路（１００）底部の一端に設置し、共同して柱状熱伝導体（３００）に設置した軸方向の中心の比較的管径の大きい管路により構成される共通管路（２００）底部へ通じる。共通管路（２００）上端は流体共用の第一出入口端（１１０１）を備え、及び柱状熱伝導体（３００）の軸方向の周辺に沿って、各経路のＵ型管路（１００）から第二出入口端（１０２）のパイプセグメント（１０２２）へ通じるパイプセグメントを放射状に設置する。。上述共通管路（２００）に柱状熱伝導体（３００）の軸方向の中心を設置し、また共通管路（２００）と各経路のＵ型管路（１００）の第二出入口端（１０２）へ通じるパイプセグメント（１０２２）との間に断熱装置（４００）を設置し、また各経路のＵ型管路（１００）の第二出入口端（１０２）へ通じるパイプセグメント（１０２２）を別々に柱状熱伝導体（３００）の軸方向周辺の辺縁付近に設置する。
【００３２】
断熱装置（４００）は、断熱効果を持っている固体、撓性体、発泡体、密封されたコロイド体、気体、液体、又は、真空構造により構成される断熱構造であり、Ｕ型管路（１００）の第二出入口端（１０２）へ通じるパイプセグメント（１０２２）と共通管路（２００）との間に設置し、又は共通管路（２００）を断熱材料により直接製造し、又は断熱材料を嵌め込む。上述断熱構造を通して、共通管路（２００）と第二出入口端（１０２）パイプセグメントとの間に、熱伝導により生じる温度差エネルギーロスを減らす。
補助導熱構造（１１０）は、熱伝導材料により構成され、断熱装置（４００）外部に設置する。
その構造を含むは下記の一種又はそれ以上の構造により構成される。
【００３３】
（１）複数組のＵ型管路（１００）と管路構造アセンブリ中心に設置され、流体共用の第一出入口端（１１０１）へ通る共通管路（２００）、第二出入口端（１０２）のパイプセグメント（１０２２）から管路構造アセンブリの軸方向の周辺に個別に分布し、底部が共通管路（２００）の底部に放射状に分布され、共通管路（２００）の周辺と第二出入口端（１０２）のパイプセグメント（１０２２）との間に断熱装置（４００）が設置され、断熱装置（４００）の外部に導熱材料により構成される補助導熱構造（１１０）が設置されることにより、断熱装置（４００）が柱状熱伝導体（３００）の内部での熱抵抗の形成を抑制可能であり、管路構造アセンブリを構成する。
【００３４】
（２）熱伝導材料で構成される円形、楕円形、方形、長方形、又は、星形を含む幾何形状の断面を持つ柱状熱伝導体（３００）であり、流体共用の第一出入口端（１１０１）を有する共通管路（２００）を覆い、及び第二出入口端（１０２）のパイプセグメント（１０２２）へ通り、共通管路（２００）の底部が、第二出入口端（１０２）のパイプセグメント（１０２２）の底部と連通し、共通管路（２００）の周辺に断熱装置（４００）が設置され、断熱装置（４００）の外部に導熱材料により構成される補助導熱構造（１１０）が設置されることにより、断熱装置（４００）が柱状熱伝導体（３００）内部での熱抵抗の形成を抑制可能であり、柱状熱伝導体（３００）に覆われる柱状構造を構成する。
【００３５】
（３）柱状熱伝導体（３００）により製造され、内部に管路構造を有することにより、流体共用の第一出入口端（１１０１）へ通る共通管路（２００）及び設置された断熱装置（４００）を形成し、断熱装置（４００）の外部に導熱材料により構成される補助導熱構造（１１０）が設置されることにより、断熱装置（４００）が柱状熱伝導体（３００）の内部での熱抵抗の形成を抑制可能であり、内部に管路を有する柱状熱伝導体（３００）を構造体とする柱状構造を構成する。
【００３６】
（第５実施形態）
図１１本発明を柱形周辺に沿って分布するＵ型波状管路（６００）のパイプセグメントへ応用し、波状に柱状熱伝導体（３００）の軸方向周辺の辺縁付近に沿って分布する管路に設置し、及び断熱装置（４００）外部に補助導熱構造（１１０）を設置する実施例の模式図である。
図１２は図１１の断面図である。
図１１及び図１２の主な構成は、以下の通りである。
【００３７】
Ｕ型波状管路（６００）はＵ型波状管体により形成され、熱伝導性流体（１１１）を通過させ、Ｕ型波状管路（６００）は波状管路により構成され、固相物体とコロイド状物質の両方、又はいずれか一方により構成される柱状熱伝導体（３００）に設置し、Ｕ型波状管路（６００）は波状に柱状熱伝導体（３００）の周辺に環状に設けられ、また軸方向に沿って上下に波状に湾曲し、Ｕ型波状管路（６００）の両端にある第一出入口端（１０１）のパイプセグメント（１０１１）と第二出入口端（１０２）のパイプセグメント（１０２２）が連通している。
【００３８】
断熱装置（４００）は、断熱効果を持っている固体、撓性体、発泡体、密封されたコロイド体、気体、液体、又は、真空構造により構成される熱抵抗構造であり、柱状熱伝導体（３００）周辺に設置されるＵ型波状管路（６００）へ通じる第一出入口端（１０１）のパイプセグメント（１０１１）と第二出入口端（１０２）のパイプセグメント（１０２２）へ通じるパイプセグメントの両方、又はいずれか一方の周辺を覆う、又はいずれか一方の周辺を覆う。パイプセグメントの両方、又はいずれか一方を断熱材料により直接製造し、又は断熱材料を嵌め込む。上述断熱構造を通して、Ｕ型波状管路（６００）に隣り合って設置される第一出入口端（１０１）のパイプセグメント（１０１１）と第二出入口端（１０２）のパイプセグメント（１０２２）との間に、熱伝導により生じる温度差エネルギーロスを大幅に減らす。
補助導熱構造（１１０）は、熱伝導材料により構成され、断熱装置（４００）外部に設置する。
その構造は下記の一種又はそれ以上の構造により構成される。
【００３９】
（１）管状構造アセンブリ柱形の周辺に沿って分布するＵ型波状管路（６００）、Ｕ型波状管路（６００）の両端の第一出入口端（１０１）のパイプセグメント（１０１１）、第二出入口端（１０２）のパイプセグメント（１０２２）、両パイプセグメント又はその中の一つに断熱装置（４００）が設置され、断熱装置（４００）の外部に設置する導熱材料により構成される補助導熱構造（１１０）に設置することにより、断熱装置（４００）が柱状熱伝導体（３００）内部での熱抵抗の形成を抑制可能であり、管路構造アセンブリを構成する。
【００４０】
（２）熱伝導材料で構成される円形、楕円形、方形、長方形、又は、星形を含む幾何形状の断面を持つ柱状熱伝導体（３００）であり、柱形の周辺に沿って分布するＵ型波状管路（６００）を覆い、及びＵ型波状管路（６００）の両端の第一出入口端（１０１）のパイプセグメント（１０１１）と第二出入口端（１０２）のパイプセグメント（１０２２）を連通し、また両パイプセグメント又はその中の一つに断熱装置（４００）が設置され、断熱装置（４００）の外部に導熱材料により構成される補助導熱構造（１１０）を設置することにより、断熱装置（４００）が柱状熱伝導体（３００）内部での熱抵抗の形成を抑制可能であり、柱状熱伝導体（３００）に覆われる柱状構造を構成する。
【００４１】
（３）柱状熱伝導体（３００）により製造され、内部に管路構造を有することにより、Ｕ型波状管路（６００）の両端の第一出入口端（１０１）のパイプセグメント（１０１１）を連通するパイプセグメントと第二出入口端（１０２）のパイプセグメント（１０２２）を連通するパイプセグメントを含む柱状熱伝導体の周辺に沿って分布するＵ型波状管路（６００）を形成し、第一出入口端（１０１）のパイプセグメント（１０１１）及び第二出入口端（１０２）のパイプセグメント（１０２２）と熱伝導体構造との間に断熱装置（４００）設けられ、断熱装置（４００）の外部に導熱材料により構成される補助導熱構造（１１０）を設置することにより、断熱装置（４００）が柱状熱伝導体（３００）内部での熱抵抗の形成を抑制可能であり、内部に管路を有する柱状熱伝導体（３００）を構造体とする柱状構造を構成する。
【００４２】
（第６実施形態）
図１３本発明を中心パイプセグメントを備えるＵ型波状管路（６５０）へ応用し、中心パイプセグメントを備えるＵ型波状管路（６５０）の第一出入口端（１０１）のパイプセグメント（１０１１）を柱状熱伝導体（３００）の中心付近に設置し、第二出入口端（１０２）のパイプセグメント（１０２２）を柱状熱伝導体（３００）の周辺付近に設置し、両パイプセグメントの間に中心パイプセグメントを備えるＵ型波状管路（６５０）を軸方向に沿って波状に柱状熱伝導体（３００）周辺の辺縁付近に設置し、及び断熱装置（４００）外部にを設置する補助導熱構造（１１０）を設置する実施例の模式図である。
図１４は図１３の断面図である。
図１３及び図１４の主な構成は、以下の通りである。
【００４３】
中心パイプセグメントを備えるＵ型波状管路（６５０）は、熱伝導性流体（１１１）を通過させるＵ型波状管体により形成され、中心パイプセグメントを備えるＵ型波状管路（６５０）は、中心パイプセグメントを備える波状管路により構成され、固相物体とコロイド状物質の両方、又はいずれか一方により構成される柱状熱伝導体（３００）に設置し、中心パイプセグメントを備えるＵ型波状管路（６５０）の波状パイプセグメントを柱状熱伝導体（３００）の周辺に環状に設けられ、また軸方向に沿って上下に波状に湾曲し、中心パイプセグメントを備えるＵ型波状管路（６５０）の両端は連通する第一出入口端（１０１）のパイプセグメント（１０１１）及び第二出入口端（１０２）のパイプセグメント（１０２２）を備え、その中の第一出入口端（１０１）のパイプセグメント（１０１１）を柱状熱伝導体（３００）の中心付近に設置し、第二出入口端（１０２）のパイプセグメント（１０２２）を柱状熱伝導体（３００）の周辺付近に設置し、両パイプセグメントの間に中心パイプセグメントを備えるＵ型波状管路（６５０）を軸方向に沿って波状に柱状熱伝導体（３００）周辺の辺縁付近に設置する。
【００４４】
断熱装置（４００）は、断熱効果を持っている固体、撓性体、発泡体、密封されたコロイド体、気体、液体、又は、真空構造により構成される熱抵抗構造であり、柱状熱伝導体（３００）中心及び周辺間に設置される中心パイプセグメントを備えるＵ型波状管路（６５０）から第一出入口端（１０１）のパイプセグメント（１０１１）へ通じるイプセグメントを覆い、第二出入口端（１０２）のパイプセグメント（１０２２）へ通じるイプセグメントの両パイプセグメント又はその中の一つの周辺、の両パイプセグメント又はその中の一つの周辺、或いは両パイプセグメント又はその中の一を断熱材料により直接製造し、又は断熱材料を嵌め込む。上述断熱構造を通して、同じ中心パイプセグメントを備えるＵ型波状管路（６５０）に隣り合って設置される第一出入口端（１０１）のパイプセグメント（１０１１）と第二出入口端（１０２）のパイプセグメント（１０２２）との間に、熱伝導により生じる温度差エネルギーロスを大幅に減らす。
補助導熱構造（１１０）は、熱伝導材料により構成され、断熱装置（４００）外部に設置する。
その構造は下記の一種又はそれ以上の構造により構成される。
【００４５】
（１）中心付近と柱形周辺の中心パイプセグメントを有するＵ型波状管路（６５０）、中心パイプセグメントを有するＵ型波状管路（６５０）両端の第一出入口端（１０１）のパイプセグメント（１０１１）、第二出入口端（１０２）のパイプセグメント（１０２２）に設置し、両パイプセグメント又はその中の一つに断熱装置（４００）を設置し、断熱装置（４００）の外部に設置する導熱材料により構成される補助導熱構造（１１０）を設置することにより、断熱装置（４００）が柱状熱伝導体（３００）内部での熱抵抗の形成を抑制可能であり、管路構造アセンブリを構成する。
【００４６】
（２）熱伝導材料で構成される円形、楕円形、方形、長方形、又は、星形を含む幾何形状の断面を持つ柱状熱伝導体（３００）であり、中心パイプセグメントを有するＵ型波状管路（６５０）及び中心パイプセグメントを有するＵ型波状管路（６５０）両端の第一出入口端（１０１）のパイプセグメント（１０１１）及び第二出入口端（１０２）のパイプセグメント（１０２２）を覆い、及び両パイプセグメント又はその中の一つに断熱装置（４００）を設置し、断熱装置（４００）の外部に導熱材料により構成される補助導熱構造（１１０）を設置することにより、断熱装置（４００）が柱状熱伝導体（３００）内部での熱抵抗の形成を抑制可能であり、柱状熱伝導体（３００）に覆われる柱状構造を構成する。
【００４７】
（３）柱状熱伝導体（３００）により製造され、内部に管路構造を有することにより、Ｕ型波状管路（６５０）の両端の第一出入口端（１０１）のパイプセグメント（１０１１）を連通するパイプセグメントと第二出入口端（１０２）のパイプセグメント（１０２２）を連通するパイプセグメントを含む柱状熱伝導体の周辺に沿って分布する中心パイプセグメントを有するＵ型波状管路（６５０）を形成し、また第一出入口端（１０１）のパイプセグメント（１０１１）又は第二出入口端（１０２）のパイプセグメント（１０２２）の二者又はその中の一つと熱伝導体構造との間に断熱装置（４００）が設けられ、断熱装置（４００）の外部に導熱材料により構成される補助導熱構造（１１０）を設置することにより、断熱装置（４００）が柱状熱伝導体（３００）の内部での熱抵抗の形成を抑制可能であり、内部に管路を有する柱状熱伝導体（３００）を構造体とする柱状構造を構成する。
【００４８】
（第７実施形態）
図１５に本発明をＵ型螺旋状管路の第一出入口端（１０１）と第二出入口端（１０２）間の螺旋パイプセグメントへ応用し、螺旋状柱状熱伝導体（３００）を軸方向に沿って周辺の辺縁付近に設置し、及び断熱装置（４００）外部に補助導熱構造（１１０）を設置する実施例の模式図である。
図１６は図１５の断面図である。
図１５及び図１６の主な構成は、以下の通りである。
【００４９】
Ｕ型螺旋状管路構造（８００）はＵ型螺旋状管体により形成され、熱伝導性流体（１１１）を通過させ、Ｕ型螺旋状管路構造（８００）はＵ型螺旋状管路構造により構成され、又は固相物体とコロイド状物質の両方、又はいずれか一方により構成される柱状熱伝導体（３００）に設置し、Ｕ型螺旋状管路構造（８００）のＵ型螺旋状管路を柱状熱伝導体（３００）周辺の辺縁付近に環状に設けられ、その中の第一出入口端（１０１）をＵ型螺旋状管路の中心パイプセグメント（７００）上端に設置し、またＵ型螺旋状管路の中心パイプセグメント（７００）を経て、直接Ｕ型螺旋状管路構造（８００）のＵ型螺旋状管路底部へ通じる。また第二出入口端（１０２）をＵ型螺旋状管路構造（８００）の螺旋状に上方に向かって上がるＵ型螺旋状管路構造（８００）にある第二出入口端（１０２）のパイプセグメント（９００）上端に設置する。
【００５０】
断熱装置（４００）は、断熱効果を持っている固体、撓性体、発泡体、密封されたコロイド体、気体、液体、又は、真空構造により構成される熱抵抗構造であり、Ｕ型螺旋状管路構造（８００）を柱状熱伝導体（３００）に設置し、柱状熱伝導体（３００）の中心にＵ型螺旋状管路の中心パイプセグメント（７００）を設けることより、上方の第一出入口端（１０１）へ通じる。Ｕ型螺旋状管路の中心パイプセグメント（７００）を断熱材料により直接製造し、又は断熱材料を嵌め込む。又は柱状熱伝導体（３００）周辺の辺縁付近に沿って、螺旋状に上方に向かって上がる第二出入口端（１０２）へ通じるＵ型螺旋状管路構造（８００）とＵ型螺旋状管路構造（８００）にある第二出入口端（１０２）のパイプセグメント（９００）とＵ型螺旋状管路の中心パイプセグメント（７００）との間に断熱装置（４００）を設置し、上述断熱装置（４００）を通して、第一出入口端（１０１）のＵ型螺旋状管路の中心パイプセグメント（７００）へ通じる。外周の第二出入口端（１０２）へ通じるＵ型螺旋状管路構造（８００）とＵ型螺旋状管路の中心パイプセグメント（７００）との間に、熱伝導により生じる温度差エネルギーロスを大幅に減らす。
補助導熱構造（１１０）は、熱伝導材料により構成され、断熱装置（４００）外部に設置する。
その構造は下記の一種又はそれ以上の構造により構成される。
【００５１】
（１）Ｕ型螺旋状管路構造（８００）及びＵ型螺旋状管路構造（８００）にある第二出入口端（１０２）のパイプセグメント（９００）、第一出入口端（１０１）のＵ型螺旋状管路の中心パイプセグメント（７００）を連通し、Ｕ型螺旋状管路の中心パイプセグメント（７００）周辺に設置する断熱装置（４００）であり、断熱装置（４００）の外部に導熱材料により構成される補助導熱構造（１１０）を設置することにより、断熱装置（４００）が柱状熱伝導体（３００）の内部での熱抵抗の形成を抑制可能であり、管路構造アセンブリを構成する。
【００５２】
（２）熱伝導材料で構成される円形、楕円形、方形、長方形、又は、星形を含む幾何形状の断面を有する柱状熱伝導体（３００）であり、Ｕ型螺旋状管路構造（８００）、Ｕ型螺旋状管路構造（８００）にある第二出入口端（１０２）のパイプセグメント（９００）及び第一出入口端（１０１）のＵ型螺旋状管路の中心パイプセグメント（７００）を連通し、第一出入口端（１０１）のＵ型螺旋状管路の中心パイプセグメント（７００）周辺に設置する断熱装置（４００）を覆い、断熱装置（４００）の外部に導熱材料により構成される補助導熱構造（１１０）を設置することにより、断熱装置（４００）が柱状熱伝導体（３００）内部での熱抵抗の形成を抑制可能であり、柱状熱伝導体（３００）に覆われる柱状構造を構成する。
【００５３】
（３）柱状熱伝導体（３００）により製造され、内部に管路構造を備えることにより、Ｕ型螺旋状管路構造（８００）、Ｕ型螺旋状管路構造（８００）にある第二出入口端（１０２）のパイプセグメント（９００）、第一出入口端（１０１）のＵ型螺旋状管路の中心パイプセグメント（７００）を有し、第一出入口端（１０１）のＵ型螺旋状管路の中心パイプセグメント（７００）の周辺に設置する断熱装置（４００）を形成し、断熱装置（４００）の外部に導熱材料により構成される補助導熱構造（１１０）を設置することにより、断熱装置（４００）が柱状熱伝導体（３００）内部での熱抵抗の形成を抑制可能であり、内部に管路が形成されている柱状熱伝導体（３００）を構造体とする柱状構造を構成する。
【００５４】
（第８実施形態）
図１７本発明を柱状熱伝導体（３００）にツーウェイ又はそれ以上の複数経路を設けるＵ型螺旋状管路構造（８００）へ応用し、多螺旋状を柱状熱伝導体（３００）の周辺に設置し、その底部は中心へ集中し、またＵ型螺旋状管路の中心パイプセグメント（７００）を経て、第一出入口端（１０１）へ通じる。またその複数経路をコアの複数経路のＵ型螺旋状管路の中心パイプセグメント（７００）外周に断熱装置（４００）を設置し、及び断熱装置（４００）外部に補助導熱構造（１１０）を設置する構造模式図である。
図１８は図１７の断面図である。
図１７及び図１８の主な構成は、以下の通りである。
【００５５】
複数経路のＵ型螺旋状管体は、ツーウェイ又はそれ以上の熱伝導性流体（１１１）が通過するＵ型螺旋状管路構造（８００）により構成され、又は複数組のＵ型螺旋状管路構造（８００）を固相物体、又はコロイド状物質により構成される柱状熱伝導体（３００）に設置し、複数経路のＵ型螺旋状管路構造（８００）は螺旋状に柱状熱伝導体（３００）周辺の辺縁付近に環状に設けられ、その中の各経路のＵ型螺旋状管路構造（８００）の第一出入口端（１０１）を螺旋管構造の中心上端に設置し、また各経路のＵ型螺旋状管路の中心パイプセグメント（７００）を経て、各経路のＵ型螺旋状管路構造（８００）底部は連通し、また各経路の第二出入口端（１０２）は各経路のＵ型螺旋状管路構造（８００）にある第二出入口端（１０２）のパイプセグメント（９００）を経て、Ｕ型螺旋状管路構造（８００）の螺旋状に上方に向かって上がる上端に設置する。
【００５６】
断熱装置（４００）は、断熱効果を持っている固体、撓性体、発泡体、密封されたコロイド体、気体、液体、又は、真空構造により構成される熱抵抗構造、ツーウェイ又はそれ以上のＵ型螺旋状管路構造（８００）を柱状熱伝導体（３００）に設置し、柱状熱伝導体（３００）に集中設置する複数経路のＵ型螺旋状管路の中心パイプセグメント（７００）を設け、上方の第一出入口端（１０１）へ通じる。Ｕ型螺旋状管路の中心パイプセグメント（７００）を断熱材料により直接製造し、又は断熱材料を嵌め込む。又は各経路が集中するＵ型螺旋状管路の中心パイプセグメント（７００）の周辺で断熱装置（４００）を覆い、上述断熱装置（４００）を通して、集中設置する各経路のＵ型螺旋状管路の中心パイプセグメント（７００）と各経路のＵ型螺旋状管路構造（８００）と各経路のＵ型螺旋状管路構造（８００）にある第二出入口端（１０２）のパイプセグメント（９００）との間に、熱伝導により生じる温度差エネルギーロスを大幅に減らす。
補助導熱構造（１１０）は、熱伝導材料により構成され、断熱装置（４００）外部に設置する。
その構造は下記の一種又はそれ以上の構造により構成される。
【００５７】
（１）ツーウェイ以上のＵ型螺旋状管路構造（８００）及びＵ型螺旋状管路構造（８００）にある第二出入口端（１０２）のパイプセグメント（９００）により構成される複数経路のＵ型螺旋管路であり、及び各経路のＵ型螺旋状管路の中心パイプセグメント（７００）を軸方向の中心に隣りって集中設置し、Ｕ型螺旋状管路の中心パイプセグメント（７００）の周辺に断熱装置（４００）が設置され、又は断熱材料により各経路のＵ型螺旋状管路の中心パイプセグメント（７００）を直接製造、断熱装置（４００）の部に導熱材料により構成される補助導熱構造（１１０）を設置することにより、断熱装置（４００）が柱状熱伝導体（３００）内部での熱抵抗の形成を抑制可能であり、管路構造アセンブリを構成する。
【００５８】
（２）熱伝導材料により構成される円形、楕円形、方形、長方形、又は、星形を含む幾何形状の断面を持つ柱状熱伝導体（３００）であり、ツーウェイ以上のＵ型螺旋状管路構造（８００）及びＵ型螺旋状管路構造（８００）にある第二出入口端（１０２）のパイプセグメント（９００）を覆い、各経路の軸方向の中心に隣り合って集中設置するＵ型螺旋状管路の中心パイプセグメント（７００）の周辺に断熱装置（４００）が設置され、断熱装置（４００）の外部に導熱材料により構成される補助導熱構造（１１０）を設置することにより、断熱装置（４００）が柱状熱伝導体（３００）内部での熱抵抗の形成を抑制可能であり、柱状熱伝導体（３００）に覆われる柱状構造を構成し、各組の軸方向の中心に隣り合って集中設置する個別Ｕ型螺旋状管路の中心パイプセグメント（７００）の周辺に別々に断熱装置（４００）が設置され、断熱材料により個別Ｕ型螺旋状管路の中心パイプセグメント（７００）が製造され、断熱装置（４００）の外部に導熱材料により構成される補助導熱構造（１１０）を設置することにより、断熱装置（４００）が柱状熱伝導体（３００）の内部での熱抵抗の形成を抑制可能であり、柱状熱伝導体（３００）に覆われる柱状構造を構成する。
【００５９】
（３）柱状熱伝導体（３００）により製造され、内部に管路構造を有することにより、Ｕ型螺旋状管路構造（８００）にある第二出入口端（１０２）のパイプセグメント（９００）を含み、ツーウェイ以上のＵ型螺旋状管路構造（８００）により構成される複数経路のＵ型螺旋管路を形成し、各経路から第一出入口端（１０１）と連通するＵ型螺旋状管路の中心パイプセグメント（７００）を軸方向の中心に隣り合って集中設置し、Ｕ型螺旋状管路の中心パイプセグメント（７００）の周辺に断熱装置（４００）が設置され、断熱装置（４００）の外部に導熱材料により構成される補助導熱構造（１１０）を設置することにより、断熱装置（４００）が柱状熱伝導体（３００）内部での熱抵抗の形成を抑制可能であり内部に管路を有する柱状熱伝導体（３００）を構造体とする柱状構造を構成する。
【００６０】
（第９実施形態）
図２１本発明を柱状熱伝導体（３００）にツーウェイ又はそれ以上の複数経路のＵ型螺旋状管路構造（８００）を設け、柱状熱伝導体（３００）周辺の辺縁付近に設置し、その柱状熱伝導体（３００）中心付近に比較的管径の大きい管路により構成される共通管路（２００）を設置し、複数経路のＵ型螺旋状管路構造（８００）底部は、共通管路（２００）底部と連通し、また共通管路（２００）の外周に断熱構造を設置し、及び断熱装置（４００）外部に補助導熱構造（１１０）を設置する構造模式図である。
図２２は図２１の断面図である。
図２１及び図２２の主な構成は、以下の通りである。
【００６１】
複数経路のＵ型螺旋状管体は、ツーウェイ又はそれ以上の熱伝導性流体（１１１）が通過するＵ型螺旋状管体により構成され、又は複数組のＵ型螺旋状管路構造（８００）を固相物体とコロイド状物質の両方、又はいずれか一方により構成される柱状熱伝導体（３００）に設置し、複数経路のＵ型螺旋状管路構造（８００）は螺旋状に柱状熱伝導体（３００）周辺に環状に設け、各経路にまたＵ型螺旋状管路構造（８００）にある第二出入口端（１０２）のパイプセグメント（９００）を備え、相對する第二出入口端（１０２）へ通じる。各経路のＵ型螺旋状管路構造（８００）底部は共通管路（２００）へ通じる。共通管路（２００）をＵ型螺旋状管路構造（８００）中心の上端へ通じる流体共用の第一出入口端（１１０１）に設置する。
【００６２】
断熱装置（４００）は、断熱効果を持っている固体、撓性体、発泡体、密封されたコロイド体、気体、液体、又は、真空構造により構成される熱抵抗構造であり、各経路のＵ型螺旋状管路構造（８００）を柱状熱伝導体（３００）に設置し、共通管路（２００）を柱状熱伝導体（３００）の軸方向の中心の上端のへ通じる流体共用の第一出入口端（１１０１）に設置し、Ｕ型螺旋状管路の共通管路（２００）のパイプセグメントを断熱材料により直接製造し、又は断熱材料を嵌め込む。又は各経路のＵ型螺旋状管路構造（８００）及び各経路のＵ型螺旋状管路構造（８００）にある第二出入口端（１０２）のパイプセグメント（９００）とＵ型螺旋状管路の共通管路（２００）のパイプセグメントとの間に述断熱装置（４００）を設置し、上述断熱装置（４００）を通して、共通管路（２００）、Ｕ型螺旋状管路構造（８００）と各経路のＵ型螺旋状管路構造（８００）にある第二出入口端（１０２）のパイプセグメント（９００）との間に、熱伝導により生じる温度差エネルギーロスを大幅に減らす。
補助導熱構造（１１０）は、熱伝導材料により構成され、断熱装置（４００）外部に設置する。
その構造は下記の一種又はそれ以上の構造により構成される。
【００６３】
（１）ツーウェイ以上のＵ型螺旋状管路構造（８００）及びＵ型螺旋状管路構造（８００）にある第二出入口端（１０２）のパイプセグメント（９００）により構成される複数経路のＵ型螺旋状管路構造（８００）であり、各経路のＵ型螺旋状管路構造（８００）の底部が共通管路（２００）を有し、共通管路（２００）が上方に向かって流体共用の第一出入口端（１１０１）を有し、共通管路（２００）に断熱装置（４００）が設置され、断熱材料により共通管路（２００）が製造され、断熱装置（４００）の外部に導熱材料により構成される補助導熱構造（１１０）を設置することにより、断熱装置（４００）が柱状熱伝導体（３００）の内部での熱抵抗の形成を抑制可能であり管路構造アセンブリを構成する。
【００６４】
（２）熱伝導材料により構成される円形、楕円形、方形、長方形、又は、星形を含む幾何形状の断面を有する柱状熱伝導体（３００）であり、ツーウェイ以上のＵ型螺旋状管路構造（８００）及びＵ型螺旋状管路構造（８００）にある第二出入口端（１０２）のパイプセグメント（９００）により構成される複数経路のＵ型螺旋管路を覆い、覆われた底部がＵ型螺旋状管路構造（８００）の各管路底部と連通し、上端が流体共用の第一出入口端（１１０１）の共通管路（２００）を有し、共通管路（２００）の断熱装置（４００）が設置され、断熱装置（４００）の外部に導熱材料により構成される補助導熱構造（１１０）を設置することにより、断熱装置（４００）が柱状熱伝導体（３００）内部での熱抵抗の形成を抑制可能であり、柱状熱伝導体（３００）に覆われる柱状構造を構成する。
【００６５】
（３）柱状熱伝導体（３００）により製造され、内部に管路構造を有することにより、ツーウェイ以上のＵ型螺旋状管路構造（８００）により構成される複数経路のＵ型螺旋状管路構造（８００）及びＵ型螺旋状管路構造（８００）にある第二出入口端（１０２）のパイプセグメント（９００）が形成され、各経路のＵ型螺旋状管路構造（８００）の底部からＵ型螺旋状管路構造（８００）の中心に設置される共通管路（２００）及び断熱装置（４００）を有し、断熱装置（４００）の外部に導熱材料により構成される補助導熱構造（１１０）が設置され、断熱装置（４００）が柱状熱伝導体（３００）の内部での熱抵抗の形成を抑制可能であり、内部に管路を有する柱状熱伝導体（３００）を構造体とする柱状構造を構成する。
【符号の説明】
【００６６】
１００：Ｕ型管路、
１０１：第一出入口端、
１０２：第二出入口端、
１１０：補助導熱構造、
１１１：熱伝導性流体、
２００：共通管路、
３００：柱状熱伝導体、
４００：断熱装置、
５００：貯熱体、
６００：Ｕ型波状管路、
６５０：中心パイプセグメントを有するＵ型波状管路、
７００：Ｕ型螺旋状管路の中心パイプセグメント、
８００：Ｕ型螺旋状管路構造、
９００：Ｕ型螺旋状管路構造（８００）にある第二出入口端（１０２）のパイプセグメント、
１１０１：流体共用の第一出入口端、
１０１１：第一出入口端（１０１）のパイプセグメント、
１０２２：第二出入口端（１０２）のパイプセグメント。
【図１】
2014077628.tif 000003
【図２】
2014077628.tif 000004
【図３】
2014077628.tif 000005
【図４】
2014077628.tif 000006
【図５】
2014077628.tif 000007
【図６】
2014077628.tif 000008
【図７】
2014077628.tif 000009
【図８】
2014077628.tif 000010
【図９】
2014077628.tif 000011
【図１０】
2014077628.tif 000012
【図１１】
2014077628.tif 000013
【図１２】
2014077628.tif 000014
【図１３】
2014077628.tif 000015
【図１４】
2014077628.tif 000016
【図１５】
2014077628.tif 000017
【図１６】
2014077628.tif 000018
【図１７】
2014077628.tif 000019
【図１８】
2014077628.tif 000020
【図１９】
2014077628.tif 000021
【図２０】
2014077628.tif 000022
【図２１】
2014077628.tif 000023
【図２２】
2014077628.tif 000024
【外国語明細書】
2014077628.tif 000025
2014077628.tif 000026
2014077628.tif 000027
2014077628.tif 000028
2014077628.tif 000029
2014077628.tif 000030
2014077628.tif 000031
2014077628.tif 000032
2014077628.tif 000033
2014077628.tif 000034
2014077628.tif 000035
2014077628.tif 000036
2014077628.tif 000037
2014077628.tif 000038
2014077628.tif 000039
2014077628.tif 000040
2014077628.tif 000041
2014077628.tif 000042
2014077628.tif 000043
2014077628.tif 000044
2014077628.tif 000045
2014077628.tif 000046
2014077628.tif 000047
2014077628.tif 000048
2014077628.tif 000049
2014077628.tif 000050
2014077628.tif 000051
2014077628.tif 000052
2014077628.tif 000053
2014077628.tif 000054
2014077628.tif 000055
2014077628.tif 000056
2014077628.tif 000057
2014077628.tif 000058
2014077628.tif 000059
2014077628.tif 000060
2014077628.tif 000061
2014077628.tif 000062
2014077628.tif 000063
2014077628.tif 000064
2014077628.tif 000065
2014077628.tif 000066
2014077628.tif 000067
2014077628.tif 000068
2014077628.tif 000069
2014077628.tif 000070
2014077628.tif 000071
2014077628.tif 000072
2014077628.tif 000073
2014077628.tif 000074
2014077628.tif 000075
2014077628.tif 000076
2014077628.tif 000077
2014077628.tif 000078
2014077628.tif 000079
2014077628.tif 000080
2014077628.tif 000081
2014077628.tif 000082
2014077628.tif 000083
2014077628.tif 000084
2014077628.tif 000085
2014077628.tif 000086
2014077628.tif 000087
2014077628.tif 000088
2014077628.tif 000089
2014077628.tif 000090
2014077628.tif 000091
2014077628.tif 000092
2014077628.tif 000093
2014077628.tif 000094
2014077628.tif 000095